(57)【要約】【課題】個々の子機を識別する情報を送信する前に火災発生を通知することができる自動火災報知システムの子機及びそれを用いた自動火災報知システムを提供する。【解決手段】自動火災報知システムの子機１は、電流引込部３と、電流引込部３を制御する第１の制御部４と、固有の識別子を記憶する記憶部９とを備える。電流引込部３は、一対の電線５１，５２から電流Ｉ８を引き込む。第１の制御部４は、火災の発生を知らせる検知信号ＳＮ３が入力されると、電流引込部３に電流Ｉ８を引き込ませて、電流Ｉ８を第１レベルの電流値から第２レベルの電流値に増加させる。第１の制御部４は、電流Ｉ８を第２レベルの電流値に増加させた状態で、電流Ｉ８を第２レベルの電流値よりも大きい第３レベルの電流値と第２レベルの電流値とを交互に増減させて固有の識別子を表す識別信号を一対の電線５１，５２に送信する。【選択図】図１
2015207125.tif 000002
【特許請求の範囲】
【請求項１】
電圧が印加される一対の電線に電気的に接続され、前記一対の電線から電流を引き込む電流引込部と、
前記電流引込部を制御する制御部と、
固有の識別子を記憶する記憶部と
を備え、
前記制御部は、火災の発生を知らせる検知信号が入力されると、前記電流引込部に引き込む前記電流を第１レベルの電流値から第２レベルの電流値に増加させ、
前記制御部は、前記電流を前記第１レベルの電流値から前記第２レベルの電流値に増加させた状態で、前記電流を前記第２レベルの電流値よりも大きい第３レベルの電流値と前記第２レベルの電流値との間で増減させることにより前記固有の識別子を表す識別信号を前記一対の電線に送信する
ことを特徴とする自動火災報知システムの子機。
【請求項２】
前記制御部は、前記電流を前記第１レベルの電流値から前記第２レベルの電流値に増加させた時点から第１の待ち時間が経過した時点で前記識別信号を送信し、
前記第１の待ち時間は、前記固有の識別子に基づいて定まる
ことを特徴とする請求項１に記載の自動火災報知システムの子機。
【請求項３】
前記一対の電線に送信された信号を受信する受信部を備え、
前記制御部は、前記受信部が同期信号を受信した時点から第２の待ち時間が経過した時点で、前記電流を異なる２つの電流値の間で増減させて前記一対の電線に応答信号を送信し、
前記第２の待ち時間は、前記固有の識別子に基づいて定まる
ことを特徴とする請求項１又は２の何れかに記載の自動火災報知システムの子機。
【請求項４】
請求項１乃至３の何れか１項に記載の子機と、
前記一対の電線間に電圧を印加する親機と
を備えることを特徴とする自動火災報知システム。
【発明の詳細な説明】
【技術分野】
【０００１】
本発明は、一般に、自動火災報知システムの子機及びそれを用いた自動火災報知システム、より詳細には、一対の電線に電気的に接続された自動火災報知システムの子機及びそれを用いた自動火災報知システムに関する。
【背景技術】
【０００２】
自動火災報知システム（自火報システム）として主にＰ型（Proprietary-type）とＲ型（Record-type）との２種類が知られている。Ｐ型、Ｒ型のいずれの自火報システムであっても、子機が火災の発生を感知して親機に火災発生を通知するように構成されている。Ｐ型の自火報システムはＲ型の自火報システムに比べて施工が容易であるため、主に中規模以下の建物に用いられることが多い。
【０００３】
Ｐ型の自火報システムでは、親機（火災受信機）に電気的に接続されている一対の電線を短絡させて火災の発生を親機に送信する接点型火災感知器が知られている（例えば特許文献１参照）。特許文献１に記載の複数の火災感知器は、一対の感知器回線にそれぞれ並列に接続されて使用される。特許文献１に記載の火災感知器は、火災の発生を感知すると所定のフォーマットに従って感知器回線の信号線間を短絡させてアドレス情報を送信する。特許文献１に記載の火災感知器は、アドレス情報を送信した後に、感知器回線の信号線間を短絡して火災発生を火災受信機に通知する。
【先行技術文献】
【特許文献】
【０００４】
【特許文献１】特開２００５−２１５７３８号公報
【発明の概要】
【発明が解決しようとする課題】
【０００５】
特許文献１に記載の火災感知器は、個々の子機（火災感知器）を識別する情報（アドレス情報）を送信した後でなければ火災発生を親機（火災受信機）に通知することができないという問題があった。
【０００６】
本発明は上記事由に鑑みてなされており、個々の子機を識別する情報を送信する前に火災発生を通知することができる自動火災報知システムの子機及びそれを用いた自動火災報知システムを提供することを目的とする。
【課題を解決するための手段】
【０００７】
上記課題を解決するために、本発明の自動火災報知システムの子機は、電圧が印加される一対の電線に電気的に接続され、前記一対の電線から電流を引き込む電流引込部と、前記電流引込部を制御する制御部と、固有の識別子を記憶する記憶部とを備え、前記制御部は、火災の発生を知らせる検知信号が入力されると、前記電流引込部に引き込む前記電流を第１レベルの電流値から第２レベルの電流値に増加させ、前記制御部は、前記電流を前記第１レベルの電流値から前記第２レベルの電流値に増加させた状態で、前記電流を前記第２レベルの電流値よりも大きい第３レベルの電流値と前記第２レベルの電流値との間で増減させることにより前記固有の識別子を表す識別信号を前記一対の電線に送信することを特徴とする。
【０００８】
本発明の自動火災報知システムは、請求項１乃至３の何れか１項に記載の子機と、前記一対の電線間に電圧を印加する親機とを備えることを特徴とする。
【発明の効果】
【０００９】
本発明によれば、制御部は、火災の発生を知らせる検知信号が入力されると、電流引込部に引き込む電流を第１レベルの電流値から第２レベルの電流値に増加させて火災発生を通知する。制御部は、電流を第１レベルの電流値から第２レベルの電流値に増加させた状態で、電流を第２レベルの電流値よりも大きい第３レベルの電流値と第２レベルの電流値との間で増減させることにより固有の識別子を表す識別信号を一対の電線に送信する。そのため個々の子機を識別する情報を送信する前に火災発生を通知することができる。
【図面の簡単な説明】
【００１０】
【図１】実施形態に係る自動火災報知システムの子機の概略構成を示す説明図である。
【図２】実施形態に係る自動火災報知システムの概略構成を示す説明図である。
【図３】実施形態に係る自動火災報知システムの子機における要部の回路ブロック図である。
【図４】実施形態に係る自動火災報知システムの子機における他の要部の回路ブロック図である。
【図５】実施形態に係る自動火災報知システムの各部のタイミングチャートである。
【図６】実施形態に係る自動火災報知システムの自動試験時の動作の説明図である。
【発明を実施するための形態】
【００１１】
本発明に係る自動火災報知システムの子機を備えた自動火災報知システムの実施形態を図１〜図６に基づいて説明する。尚、本発明は下記実施形態に限定されることはなく、この実施形態以外であっても、本発明に係る技術的思想を逸脱しない範囲であれば、設計等に応じて種々の変更が可能である。また、本実施形態では親機に子機が１台接続される場合の説明をするが、１台の親機に対して複数台の子機が接続されてもよい。さらに、説明を簡単にするために親機に一対の電線が１組接続されている場合を例示するが、一対の電線が複数組接続されていてもよい。尚、図６では、親機に一対の電線が１組接続されていて子機が６４台接続される場合を例示する。
【００１２】
本実施形態の自動火災報知システム１０の子機１は、図１に示すように、電流引込部３と、電流引込部３を制御する第１の制御部４（制御部）と、固有の識別子ＩＦ１を記憶する記憶部９とを備える。電流引込部３（第１の電流引込部３１、第２の電流引込部３２）は、電圧が印加される一対の電線５１，５２に電気的に接続され、一対の電線５１，５２から電流Ｉ８（第１の電流Ｉｄ１、第２の電流Ｉｄ２）を引き込む。第１の制御部４は、火災の発生を知らせる検知信号ＳＮ３が入力されると、電流引込部３に引き込む電流Ｉ８を第１レベルの電流値Ｉ１から第２レベルの電流値Ｉ２に増加させる。第１の制御部４は、電流Ｉ８を第１レベルの電流値Ｉ１から第２レベルの電流値Ｉ２に増加させた状態で、電流Ｉ８を第２レベルの電流値Ｉ２よりも大きい第３レベルの電流値Ｉ３と第２レベルの電流値Ｉ２との間で増減させる。第１の制御部４は、電流Ｉ８を第３レベルの電流値Ｉ３と第２レベルの電流値Ｉ２との間で増減させることにより固有の識別子ＩＦ１を表す識別信号Ｉ７を電線５１に送信する。識別子ＩＦ１は、個々の子機１を特定するための情報（例えばアドレス等）である。子機１は例えば熱感知器や煙感知器や炎感知器等を構成する。
【００１３】
子機１は、電流Ｉ８を第１レベルの電流値Ｉ１から第２レベルの電流値Ｉ２に増加させた時点から第１の待ち時間Ｗｎ（本実施形態ではｎ＝１〜６４）が経過した時点で識別信号Ｉ７を送信する。第１の待ち時間Ｗｎ（ｎ＝１〜６４）は、固有の識別子ＩＦ１に基づいて定まることが好ましい。
【００１４】
子機１は、一対の電線５１，５２に送信された信号を受信する第１の受信部６（受信部）を備える。第１の制御部４は、第１の受信部６が同期信号を受信した時点から第２の待ち時間ＷＴｎ（本実施形態ではｎ＝１〜６４）が経過した時点で、電流Ｉ８を異なる２つの電流値の間で増減させて一対の電線５１，５２に応答信号ＳＮ５を送信する。第２の待ち時間ＷＴｎ（ｎ＝１〜６４）は、固有の識別子ＩＦ１に基づいて定まることが好ましい。
【００１５】
本実施形態の自動火災報知システム１０は、上記の子機１と、一対の電線５１，５２間に電圧を印加する親機２とを備えることが好ましい。
【００１６】
ここでは、各組の電線５１，５２に対して最大４０〜８０台の子機１が接続可能である。さらに、１台の親機２には、一対の電線５１，５２は最大で５０〜２００回線（５０〜２００組）接続可能である。したがって、たとえば各組の電線５１，５２に最大４０台の子機１が接続可能で、１台の親機２に最大で５０回線の一対の電線５１，５２が接続可能である場合、子機１は、１台の親機２に対して最大で２０００（＝４０×５０）台まで接続可能である。ただし、これらの数値は一例であって、これらの数値に限定する趣旨ではない。
【００１７】
自動火災報知システム１０は、子機１にて火災の発生を検知し、子機１から受信機である親機２へ火災発生の通知がなされるように構成されている。ただし、子機１は、火災の発生を検知する感知器に限らず、発信機等を含んでいてもよい。発信機は、押しボタンスイッチ（図示せず）を有し、人が火災を発見した場合に押しボタンスイッチを手動で操作することにより、親機２へ火災発生の通知を行う装置である。
【００１８】
ところで、一般的な自動火災報知システムには、Ｐ型（Proprietary-type）とＲ型（Record-type）との２種類のシステムが存在する。Ｐ型の自動火災報知システムは、子機が一対の電線間を電気的に短絡することで親機に火災発生を通知する。Ｒ型の自動火災システムは、伝送線を伝送される伝送信号を用いて、子機が通信により親機に火災発生を通知する。
【００１９】
自動火災報知システム１０は、Ｐ型でありながらも、伝送信号を用いた通信が可能な子機１を用いることで、一部、Ｒ型と同様の機能が付加されている。具体的には、自動火災報知システム１０は、発報時、子機１が識別信号Ｉ７を親機２に送信することにより、親機２において、一対の電線５１，５２の組単位ではなく子機単位で発報元の特定が可能である。また、自動火災報知システム１０は、非発報時（平常時）、親機２−子機１間で通信を行うことにより、親機２−子機１間の通信状況や子機１の動作等について自動試験を実施することができる。
【００２０】
なお、自動火災報知システム１０は、通信を利用することで親機２−子機１間で様々な情報をやり取りできるので、上述したような子機単位での発報元の特定や自動試験に限らず、種々の機能を付加することができる。
【００２１】
子機１は、火災の発生を検知すると一対の電線５１，５２を介して親機２に火災発生を通知する。子機１は、火災発生の通知を送信する際に、識別信号Ｉ７を併せて送信する。識別信号Ｉ７を受信した親機２は、識別信号Ｉ７が表す識別子ＩＦ１に基づいて、子機１に関する情報を表示部２５に表示させる。尚、一対の電線５１，５２を介して親機２と子機１とが相互に通信する方法については後述する。
【００２２】
親機２は、一対の電線５１，５２の一端側に電気的に接続される印加部２１を備える。親機２はさらに、停電に際しても自動火災報知システム１０の動作用の電源を確保できるように、蓄電池を用いた予備電源２８を備えている。
【００２３】
印加部２１は一対の電線５１，５２間に所定電圧（本実施形態ではＤＣ２４Ｖ）を印加する。印加部２１は電線５２を回路グランドに接続する。印加部２１と電線５１との間には抵抗２２が接続されている。尚、一対の電線５１，５２間に印加される所定電圧はＤＣ２４Ｖに限定される趣旨ではない。
【００２４】
抵抗２２は、一対の電線５１，５２に流れる電流を電圧に変換する機能がある。つまり抵抗２２が電線５１に接続されることにより、子機１が一対の電線５１，５２に電流信号を送信すると抵抗２２に電圧降下が発生するため、親機２は一対の電線５１，５２間に発生した電圧信号を受信することができる。
【００２５】
親機２は、第２の受信部２３と、送信部２４と、第２の制御部２７とを備える。
【００２６】
第２の受信部２３と送信部２４はそれぞれ一対の電線５１，５２に並列に接続され、第２の制御部２７によって制御される。送信部２４は電流Ｉ８を引き込むことにより一対の電線５１，５２に電流信号を送信する。第２の受信部２３は子機１から送信された信号を受信する。第２の受信部２３は、一対の電線５１，５２間の電圧Ｖ５の変化分（交流成分）に応じて変化する第２の受信信号ＳＮ２を第２の制御部２７に出力する。
【００２７】
第２の制御部２７には、表示部２５及び操作部２６がそれぞれ電気的に接続されている。表示部２５は例えば、火災発生の表示や火元に関する情報を表示し、火災が発生したことを周囲に報知する。操作部２６は、ユーザの入力操作を受け付けるように構成されている。ユーザは操作部２６を操作して第２の制御部２７の各種動作の設定を行う。
【００２８】
子機１は、電流引込部３と、第１の制御部４と、第１の受信部６と、記憶部９とを備える。子機１はさらに、ダイオードブリッジ５と、電源回路７と、センサ８と、負荷１２とを備える。
【００２９】
子機１はダイオードブリッジ５を介して一対の電線５１，５２に電気的に接続されている。ダイオードブリッジ５は、一対の電線５１，５２に接続される端子を逆にしても、ダイオードブリッジ５の出力端子の一端側は高電位となり、ダイオードブリッジ５の出力端子の他端側は低電位となるように構成されている。ダイオードブリッジ５の出力端子の高電位側は、電路５３を介して電源回路７に電気的に接続されている。電路５３は、例えば子機１の各回路が実装される基板（図示せず）上に銅合金等の導電体で形成される。電路５３にはダイオードブリッジ５を介して電流Ｉ８が流れる。電路５３には、電流引込部３の入力端子と、第１の受信部６の入力端子とがそれぞれ電気的に接続されている。ダイオードブリッジ５の出力端子の低電位側は回路グランドに接続されている。
【００３０】
電源回路７は、電路５３−回路グランド間に印加されている所定電圧を所望の直流の電圧Ｖ４に変換する回路で構成されている。子機１内の各回路はそれぞれ、電源回路７の出力する電圧Ｖ４によって動作する。そのため子機１は、バッテリー等の外部電源を使用することなく親機２が一対の電線５１，５２を介して供給する所定電圧で動作する。
【００３１】
電流引込部３は、第１の制御部４から入力される第１の制御信号Ｉ５及び第２の制御信号Ｉ６に応じて、電路５３を流れる電流Ｉ８を引き込む。電流引込部３は、図１に示すように、第１の電流引込部３１及び第２の電流引込部３２を備えている。第１の電流引込部３１は第１の制御部４から出力される第１の制御信号Ｉ５に応じて、電流Ｉ８から引き込む第１の電流Ｉｄ１の電流値を増減させる。第２の電流引込部３２は、第１の制御部４から出力される第２の制御信号Ｉ６に応じて、電流Ｉ８から引き込む第２の電流Ｉｄ２の電流値を増減させる。尚、電流引込部３の詳細な動作については後述する。
【００３２】
電流引込部３には負荷１２が電気的に接続されている。負荷１２には電流引込部３が引き込んだ電流の一部が流れ込む。本実施形態における負荷１２はＬＥＤ（Light Emitting Diode）１３（図３参照）を備えているが、ＬＥＤの他にも適宜の回路を備えていてもよい。
【００３３】
第１の受信部６は、電路５３−回路グランド間の電圧Ｖ５の変化分（交流成分）に応じて変化する第１の受信信号ＳＮ１を第１の制御部４に出力する。
【００３４】
第１の制御部４は、ワンチップのマイクロコンピュータで構成されている。このマイクロコンピュータがＲＯＭ（図示せず）等に記憶されたプログラムを実行することによって、子機１の各機能（すなわちセンサ８の検知信号ＳＮ３に応じた電流引込部３の制御、第１の受信信号ＳＮ１に応じた電流引込部３の制御）が実現される。
【００３５】
記憶部９には、子機１毎にあらかじめ定められた固有の識別子ＩＦ１と、識別子ＩＦ１に基づいて定まる第１の待ち時間Ｗｎ（ｎ＝１〜６４）及び第２の待ち時間ＷＴｎ（ｎ＝１〜６４）が記憶されている。第１の待ち時間Ｗｎ（ｎ＝１〜６４）は、複数台の子機１において識別子ＩＦ１毎に異なる時間となるように予め設定されている。第２の待ち時間ＷＴｎ（ｎ＝１〜６４）は、複数台の子機１において識別子ＩＦ１毎に異なる時間となるように予め設定されている。
【００３６】
第１の制御部４には、センサ８が電気的に接続されている。センサ８は、火災が発生すると検知信号ＳＮ３を第１の制御部４に出力するように構成されている。
【００３７】
次に、電流引込部３の詳細な構成について図３を参照して説明する。
【００３８】
電流引込部３は第１の電流引込部３１と第２の電流引込部３２とを備えている。
【００３９】
第１の電流引込部３１は、例えば半導体スイッチ（本実施形態ではＮＰＮ型トランジスタ）で構成されるスイッチ３１ａと、電流制限用の抵抗３１ｂとを備えている。スイッチ３１ａのコレクタ端子は電路５３に電気的に接続され、エミッタ端子は抵抗３１ｂを介して負荷１２に接続される。スイッチ３１ａのベース端子は第１の制御部４に電気的に接続されている。スイッチ３１ａのベース端子には、第１の制御部４が出力する第１の制御信号Ｉ５が入力される。
【００４０】
第２の電流引込部３２は、例えば半導体スイッチ（本実施形態ではＮＰＮ型トランジスタ）で構成されるスイッチ３２ａと、電流制限用の抵抗３２ｂとを備えている。スイッチ３２ａのコレクタ端子は電路５３に電気的に接続され、エミッタ端子は抵抗３２ｂを介して回路グランドに接続される。スイッチ３２ａのベース端子は第１の制御部４に電気的に接続されている。スイッチ３２ａのベース端子には、第１の制御部４が出力する第２の制御信号Ｉ６が入力される。
【００４１】
負荷１２はＬＥＤ１３を備えている。ＬＥＤ１３のアノード側は抵抗３１ｂに接続されていて、ＬＥＤ１３のカソード側は回路グランドに接続されている。ＬＥＤ１３は例えば子機１を天井等の建材（図示せず）に取り付けるための台座（図示せず）に設けられ、台座から外部に露出するように配置される。ＬＥＤ１３は、電流引込部３が電路５３から引き込んだ第１の電流Ｉｄ１で点灯する。
【００４２】
第１の受信部６は、図４に示すように、駆動回路６１と出力回路６２とコンデンサ６ｆとを備えている。出力回路６２は半導体スイッチ（本実施形態ではトランジスタ６ｅ）を備えている。駆動回路６１は、出力回路６２に駆動電流を供給するように構成されている。
【００４３】
駆動回路６１は、抵抗６ｂと、エミッタ接地のトランジスタ６ｅのベース端子に電気的に接続される抵抗６ｃとを有している。抵抗６ｂ及び抵抗６ｃは直列に接続されている。抵抗６ｂ及び抵抗６ｃの接続点６ａは、コンデンサ６ｆ（フィルタ）を介して電線５１に電気的に接続されている。抵抗６ｂ−トランジスタ６ｅのエミッタ端子間には電圧Ｖ４が印加されている。接続点６ａの電位は、電圧Ｖ４と、トランジスタ６ｅのベース−エミッタ間電圧との差分を各抵抗６ｂ，６ｃで分圧した電圧である。一対の電線５１，５２間の電圧が変化すると、接続点６ａの電位が変化する。接続点６ａの電位がトランジスタ６ｅのベース−エミッタ間電圧を上回ると、トランジスタ６ｅのベース端子に抵抗６ｃを介して駆動電流が流れる。
【００４４】
トランジスタ６ｅのコレクタ端子はプルアップ抵抗６ｄが直列に接続されている。プルアップ抵抗６ｄ−トランジスタ６ｅのエミッタ端子間には電圧Ｖ４が印加されている。トランジスタ６ｅのコレクタ端子とプルアップ抵抗６ｄとの接続点から第１の受信信号ＳＮ１が出力される。
【００４５】
トランジスタ６ｅは、いわゆるオープンコレクタ方式で用いられている。すなわち、トランジスタ６ｅがオンの状態では、コレクタが接地されるためにＬレベルの第１の受信信号ＳＮ１が出力され、トランジスタ６ｅがオフの状態では、エミッタ−コレクタ間が開放されるため、Ｈレベルの第１の受信信号ＳＮ１が出力される。
【００４６】
ここで、子機１の動作について図５を参照して説明する。尚、説明を簡単にするために、第１の待ち時間Ｗｎ（ｎ＝１〜６４）におけるｎ＝１の場合を説明する。
【００４７】
以下の説明では、第１の制御部４がＬレベルの第１の制御信号Ｉ５を出力していて、且つ第２の制御信号Ｉ６を出力している状態で、一対の電線５１，５２に流れる電流Ｉ８の電流値を第１レベルの電流値Ｉ１と定義する。また、子機１が電流Ｉ８を第１レベルの電流値Ｉ１から第２レベルの電流値Ｉ２に増加させることを「子機１が発報信号Ｉ４を送信する」と定義する。
【００４８】
第１の制御部４は、火災の発生を知らせる検知信号ＳＮ３がセンサ８から入力されると、Ｈレベルの第１の制御信号Ｉ５を出力する。スイッチ３１ａは、第１の制御部４からＨレベルの第１の制御信号Ｉ５が入力されると、スイッチ３１ａのコレクタ−エミッタ間がオン状態となる。第１の電流引込部３１は、電路５３から第１の電流Ｉｄ１を引き込んで電流Ｉ８を第１レベルの電流値Ｉ１から第２レベルの電流値Ｉ２に増加させる（Ｓ１）。これにより子機１は発報信号Ｉ４を一対の電線５１，５２に送信して親機２に火災の発生を通知する。
【００４９】
第１の制御部４は、Ｈレベルの第１の制御信号Ｉ５の出力を開始した時点からタイマー（図示せず）を動作させる。第１の制御部４がＨレベルの第１の制御信号Ｉ５を出力している状態で第１の待ち時間Ｗ１が経過すると、第１の制御部４は、記憶部９に記憶されている識別子ＩＦ１を表すパルス状の第２の制御信号Ｉ６を出力する。第１の待ち時間Ｗ１は、子機１の識別子ＩＦ１毎にあらかじめ定められているため、同時に発報した他の子機１から送信される識別信号Ｉ７のコリジョン（衝突）が回避できる。
【００５０】
スイッチ３２ａは、第１の制御部４からＨレベルの第２の制御信号Ｉ６が入力されると、電路５３から第２の電流Ｉｄ２を引き込んで（Ｓ２）電流Ｉ８を第２レベルの電流値Ｉ２から第３レベルの電流値Ｉ３に増加させる（Ｓ３）。スイッチ３２ａは、第１の制御部４からＬレベルの第２の制御信号Ｉ６が入力されると、電路５３から第２の電流Ｉｄ２の引き込みを停止して電流Ｉ８を第３レベルの電流値Ｉ３から第２レベルの電流値Ｉ２に減少させる。すなわち電流引込部３は、識別子ＩＦ１を表す第２の制御信号Ｉ６に対応するように第２の電流Ｉｄ２を増減させることにより、電流Ｉ８を第３レベルの電流値Ｉ３と第２レベルの電流値Ｉ２とに交互に増減させて識別信号Ｉ７を一対の電線５１，５２に送信する。言い換えれば、子機１は、発報信号Ｉ４に識別信号Ｉ７を重畳させた電流信号を一対の電線５１，５２に送信する。識別信号Ｉ７は、パルスの数やパルス幅で表される適宜のデジタル信号である。尚、識別信号Ｉ７は、電流Ｉ８が第３レベルの電流値Ｉ３と第２レベルの電流値Ｉ２とに交互に増減されて送信されることに限定されず、電流Ｉ８が第３レベルの電流値Ｉ３と第２レベルの電流値Ｉ２との間で増減されていればよい。例えば第１の制御部４は、所定時間に亘って、第３レベルの電流値Ｉ３を送信するか又は第２レベルの電流値Ｉ２を送信することで識別信号Ｉ７を送信するように構成されていてもよい。また、識別信号Ｉ７の送信回数は、１回の検知信号ＳＮ３につき１回送信されることに限定されず、複数回送信されてもよい。
【００５１】
第１の制御部４がＬレベルの第１の制御信号Ｉ５及び第２の制御信号Ｉ６をそれぞれ出力することにより、電流引込部３は第１の電流Ｉｄ１及び第２の電流Ｉｄ２の引き込みを停止し、電流Ｉ８の電流値が第１レベルの電流値Ｉ１に戻る。子機１のリセット動作は、送信部２４が送信したリセット信号を第１の受信部６が受信した場合に実行されてもよい。また、ＲＯＭ（図示せず）や記憶部９に設定した所定時間の経過後に第１の制御部４がリセット動作用のプログラムを実行してもよい。
【００５２】
ここで、親機２の動作について、図５を参照して説明する。
【００５３】
一対の電線５１，５２及び電路５３に流れる電流Ｉ８の電流値が第１レベルの電流値Ｉ１であるとき、電圧Ｖ５は、所定電圧（本実施形態ではＤＣ２４Ｖ）から抵抗２２の電圧降下分を引いた第１レベルの電圧値Ｖ１となる。
【００５４】
電流Ｉ８が第１レベルの電流値Ｉ１から第２レベルの電流値Ｉ２に増加すると、電流Ｉ８の増加に比例して抵抗２２に発生する電圧降下も増加するため、電圧Ｖ５は、第１レベルの電圧値Ｖ１よりも低い第２レベルの電圧値Ｖ２となる（Ｓ４）。第２の受信部２３は、電圧Ｖ５が第２レベルの電圧値Ｖ２になったことを検知すると、発報信号Ｉ４を受信したことを通知する第２の受信信号ＳＮ２を第２の制御部２７に出力し（Ｓ６）、第２の制御部２７は子機１が発報信号Ｉ４を送信したことを検知する。
【００５５】
電流Ｉ８が第２レベルの電流値Ｉ２から第３レベルの電流値Ｉ３に増加すると、電圧Ｖ５は、第２レベルの電圧値Ｖ２よりも低い第３レベルの電圧値Ｖ３となる（Ｓ５）。電圧Ｖ５が第２レベルの電圧値Ｖ２と第３レベルの電圧値Ｖ３とに交互に増減することにより、第２の受信部２３は一対の電線５１，５２から識別信号Ｉ７を受信する。第２の受信部２３は、識別信号Ｉ７を受信すると、識別信号Ｉ７に対応するパルス状の第２の受信信号ＳＮ２を第２の制御部２７に出力する（Ｓ７）。第２の制御部２７は、パルス状の第２の受信信号ＳＮ２が表す識別子ＩＦ１に基づいて、複数ある子機のうち発報信号Ｉ４を送信した子機を特定する。これにより第２の制御部２７は、例えば発報元を特定する情報（アドレス情報等）を表示部２５に表示する。
【００５６】
本実施形態の自動火災報知システム１０は、非発報時（平常時）において、周期的に親機２−子機１間で通信を行うことにより、親機２−子機１間の通信状況や子機１の動作状況を確認するための自動試験を実施することができる。以下では、親機２が一対の電線５１，５２に同期信号を送信し、６４台の子機１がそれぞれ応答信号を返す動作について、図６を参照して説明する。
【００５７】
自動試験を実施する際、親機２の動作モードを通常モードから自動試験モードに切り替える。尚、自動試験モードは通常モードから手動で切り替えられることに限定されず、所定の時刻に自動実行するようなプログラム等、適宜の方法で通常モードから自動試験モードに切り替えられてもよい。また、自動試験では、例えば生存確認（キープアライブ）や子機１の自己診断結果の確認等が可能である。
【００５８】
通常モードから自動試験モードに切り替えられると、第２の制御部２７は印加部２１の出力電圧を制御して、一対の電線５１，５２に試験信号ＳＮ４を送信させる。試験信号ＳＮ４は、Ｈレベルの電圧値とＬレベルの電圧値との２つの電圧値で表されるパルス信号である。試験信号ＳＮ４は、同期信号を含む同期帯１０１と、応答すべき内容を表すパルス列を含む送信帯１０２と、返信帯１０３との３つの区間（期間）を有する時分割信号である。図６では試験信号ＳＮ４を１フレーム分のみ図示している。
【００５９】
複数の子機１はそれぞれ、試験信号ＳＮ４の同期信号を受信した時点から第２の待ち時間ＷＴｎ（ｎ＝１〜６４）経過後に、応答すべき内容に応じた適宜の応答信号ＳＮ５を一対の電線５１，５２に送信する。試験信号ＳＮ４の同期信号を受信した時点とは、同期帯１０１の期間中に電圧Ｖ５がＬレベルからＨレベルに立ち上がった時点である。応答信号ＳＮ５は例えば、生存確認（キープアライブ）や子機１の自己診断結果（正常、異常、故障個所等）を示すようなパルス列で表される。
【００６０】
親機２は、同期信号を送信した時点でタイムスロットＴｎ（ｎ＝１〜６４）を設定し、一対の電線５１，５２に送信された応答信号ＳＮ５を第２の受信部２３で受信する。試験信号ＳＮ４の同期信号を送信した時点とは、同期帯１０１の期間中に電圧Ｖ５がＬレベルからＨレベルに立ち上がった時点である。それぞれのタイムスロットＴｎ（ｎ＝１〜６４）はそれぞれの子機１に設定された第２の待ち時間ＷＴｎ（ｎ＝１〜６４）に対応している。第２の受信部２３は、それぞれのタイムスロットＴｎ（ｎ＝１〜６４）に含まれる応答信号ＳＮ５を受信することにより、複数の子機１について自動試験を行うことができる。
【００６１】
子機１は、試験信号ＳＮ４を受信する毎に上記の動作を繰り返し、最後に試験信号ＳＮ４を受信してから所定期間が経過すると動作モードを通常モードに戻す。尚、子機１を自動試験モードから通常モードに戻す方法は、最後に試験信号ＳＮ４を受信してから所定期間の経過後に限定されず、通常モードに戻る信号を受信した後等、適宜のタイミングでよく、また適宜の方法でよい。
【００６２】
以上説明したように本実施形態の自動火災報知システム１０の子機１は、電流引込部３と、電流引込部３を制御する第１の制御部４と、固有の識別子ＩＦ１を記憶する記憶部９とを備える。第１の制御部４は、火災の発生を知らせる検知信号ＳＮ３が入力されると、電流引込部３に引き込む電流Ｉ８を第１レベルの電流値Ｉ１から第２レベルの電流値Ｉ２に増加させる。第１の制御部４は、電流Ｉ８を第２レベルの電流値Ｉ２に増加させた状態で、電流Ｉ８を第３レベルの電流値Ｉ３と第２レベルの電流値Ｉ２との間で増減させて固有の識別子ＩＦ１を表す識別信号Ｉ７を電線５１に送信する。
【００６３】
第１の制御部４は、火災の発生を知らせる検知信号ＳＮ３が入力されると、電流引込部３に引き込む電流Ｉ８を第１レベルの電流値Ｉ１から第２レベルの電流値Ｉ２に増加させて火災発生を通知する。第１の制御部４は、電流Ｉ８を第１レベルの電流値Ｉ１から第２レベルの電流値Ｉ２に増加させた状態で、電流Ｉ８を第２レベルの電流値Ｉ２よりも大きい第３レベルの電流値Ｉ３と第２レベルの電流値Ｉ２との間で増減させる。第１の制御部４は、電流Ｉ８を第３レベルの電流値Ｉ３と第２レベルの電流値Ｉ２との間で増減させることにより固有の識別子ＩＦ１を表す識別信号Ｉ７を一対の電線５１，５２に送信する。そのため個々の子機１を識別する情報（アドレス情報）を送信する前に火災発生を通知することができる。
【００６４】
第１の制御部４は、電流Ｉ８を第１レベルの電流値Ｉ１から第２レベルの電流値Ｉ２に増加させた時点から第１の待ち時間Ｗｎ（本実施形態ではｎ＝１〜６４）が経過した時点で識別信号Ｉ７を送信することが好ましい。第１の待ち時間Ｗ１は、固有の識別子ＩＦ１に基づいて定まるので、同時に発報した他の子機１から送信される識別信号Ｉ７のコリジョン（衝突）が回避できる。
【００６５】
子機１は、一対の電線５１，５２に送信された信号を受信する第１の受信部６を備える。第１の制御部４は、第１の受信部６が同期信号を受信した時点から第２の待ち時間ＷＴｎ（本実施形態ではｎ＝１〜６４）が経過した時点で一対の電線５１，５２に応答信号ＳＮ５を送信することが好ましい。第２の待ち時間ＷＴｎ（本実施形態ではｎ＝１〜６４）は、固有の識別子ＩＦ１に基づいて定まるので、自動試験モード時に他の子機１から送信される応答信号ＳＮ５のコリジョン（衝突）が回避できる。
【００６６】
本実施形態の自動火災報知システム１０は、上記した子機１と、一対の電線５１，５２間に電圧を印加する親機２とを備えることが好ましい。自動火災報知システム１０は子機１を備えるので、火災発生の通知をしている状態で識別信号Ｉ７を一対の電線５１，５２に送信する自動火災報知システムを提供することができる。
【００６７】
尚、本実施形態の自動火災報知システム１０における一対の電線５１，５２には、子機１の他にも、従来からＰ型の自動火災報知システムに使用されている接点型火災感知器が接続されてもよい。
【００６８】
また、本実施形態の自動火災報知システム１０において、試験信号ＳＮ４は、印加部２１から送信されることに限定されず、送信部２４から送信されてもよい。
【符号の説明】
【００６９】
１  子機
１０  自動火災報知システム
２  親機
３  電流引込部
４  第１の制御部（制御部）
５１，５２  一対の電線
６  第１の受信部（受信部）
９  記憶部
Ｉ１  第１レベルの電流値
Ｉ２  第２レベルの電流値
Ｉ３  第３レベルの電流値
Ｉ７  識別信号
Ｉ８  電流
ＩＦ１  識別子
ＳＮ３  検知信号
ＳＮ５  応答信号
Ｗｎ  第１の待ち時間
ＷＴｎ  第２の待ち時間
【図１】
2015207125.tif 000003
【図２】
2015207125.tif 000004
【図３】
2015207125.tif 000005
【図４】
2015207125.tif 000006
【図５】
2015207125.tif 000007
【図６】
2015207125.tif 000008